Podtech/llm-jp-corpus-v4-ja_patent huggingface dataset:
(57)【要約】      （修正有）【課題】ハンガー本体に、襟元、首の大きく開いた服（ボートネック）、カーディガン等を脱落せず、滑り落ち防止すると共に、場所をとらず、ズボン干しすることが出来る滑り落ち防止兼フック付ハンガーの提供。【解決手段】ハンガー本体１に、滑り落ち防止変形自在パイプ２を設け、落下防止クリップ３にて挟み込む事で襟元、首の大きく開いた服（ボートネック）、カーディガン等の洗濯後の衣類干しに役立つ。又、突起４、可動自在なフック５の使用により、ズボン類を干す事に役立つ。【選択図】図１
0003109019.tif 000002
【実用新案登録請求の範囲】
【請求項１】
ハンガー本体に滑り落ち防止変形自在パイプを設け、クリップをハンガー本体の上部に設けてキャッチャーとした。更に４つの突起を設け、突起横に可動自在のフックを２つ設け、突起がフックの滑りを防ぐストッパーになり、フック可動自在としたところを特徴とする滑り落ち防止兼フック付ハンガー。
【考案の詳細な説明】
【技術分野】
【０００１】  本考案は変形自在パイプ、クリップ及び突起部横にフックを設けたハンガーに関するものである。
【背景技術】
【０００２】  襟元や首の大きく開いた服（ボートネック）、カーディガン等、洗濯後ハンガーに掛け、物干し竿に干す場合、風による落下、又は飛ばされていた。落下しないように衣服の上から洗濯バサミで押さえると衣服に跡が残っていた。又、洗濯後のズボン類は物干し竿に使用場所をとられていた。
【考案の開示】
【考案が解決しようとす課題】
【０００３】  落下後の洗濯のやり直しは、時間的、労働的負担である。又、洗濯ばさみで押さえると跡が残り見た目も悪く、生地も変形する可能性もある。
【０００４】ズボン類は竿に干すスペースの負担がある。
両方の機能を一体化することにより用途に合わせ前述の欠点を解決しようとするものである。
【課題を解決するための手段】
【０００５】  本考案はハンガー本体に変形自在の滑り落ち防止パイプを設け、ハンガー本体上部の傾斜のおよそ真ん中の位置に脱落防止クリップを設ける。又、ハンガー本体に突起を設け、可動自在のフックを設ける事により問題を解決している。
【考案の効果】
【０００６】  上述の様に本考案の滑り落ち防止兼フック付ハンガーは、衣類を掛けた時の肩から袖にかかる部分にジャバラ形態の変形自在の滑り落ちパイプを設けており、ハンガーを吊るしながらでも、襟元、首の大きく開いた服（ボートネック）や、カーディガン等を掛ける事ができ、左右肩元にクリップをはさみ込む事により脱落しない事に役立つ。又、袖に通しているので脇等、風が入り乾きも早い。
【０００７】  可動自在のフックを設けているので、大人用、子供用のベルト通しのあるズボン類が場所をとらずに干す事が出来、限られた竿の長さを有効に使え、２ｗｅｙとして使える事で役立っている。
【考案を実施するための最良の形態】
【０００８】  衣類を干す時に使用する場合は竿などに本体ハンガーを吊るしておき、襟元、首の大きく開いた服（ボートネック）、カーディガン等を変形自在パイプを動かしながら掛け、パイプを袖に通し、肩元をクリップで下から上へ挟む様にして固定させる。【０００９】ズボン干しハンガーとして使用する際は、ズボンのベルト通しの位置によってフックを移動しフックにベルト通しを引っ掛けて使用。【００１０】可動自在のフックは逆さに使用する事により洗濯バサミ２個に変わり、タオル、スカート等が干す事が出来る。
【実施例】
【００１１】  以下添付図面に従って一実施例を説明する。図は耐久性のプラスチック、アルミ等適宜素材にて、一体化形成されたハンガー。本体▲１▼、▲２▼はジャバラ形態の滑り落ち防止パイプで、変形自在となる。クリップ▲３▼で衣類の肩元に挟み込む事で脱落防止になる。【００１２】  ▲４▼は突起で▲５▼のフックのストッパーの役割となり、▲５▼は可動自在フックでり、ズボンを干す事が出来る。【００１３】  本考案の一実施例は上述の如き構成からなるものであるからハンガー本体▲１▼を衣類を干すハンガーとして用いる事は勿論であるが、▲４▼の突起で位置を合わせ▲５▼のフックを用いて大人、子供用の区別なくズボン類のベルト通し穴に引っ掛けて使用すればズボン干しハンガーとして使用できる。又、▲５▼のフックを逆さにし▲４▼の突起内の穴▲８▼にフックを通すと安定し、タオルや、スカートなどを干す事の出来る洗濯バサミになる。
【図面の簡単な説明】
【００１４】
【図１】本考案の滑り落ち防止兼フック付きハンガーの一実施例を示す正面図である。
【符号の説明】
【００１５】  ▲１▼  ハンガー本体
▲２▼  変形自在パイプ
▲３▼  クリップ
▲４▼  突起
▲５▼  フック
▲６▼  吊り下げ具
▲７▼  フック通し穴
【図１】
0003109019.tif 000003
【手続補正書】
【提出日】平成16年7月29日(2004.7.29)
【手続補正１】
【補正対象書類名】明細書
【補正対象項目名】請求項１
【補正方法】変更
【補正の内容】
【請求項１】  ハンガー本体に滑り落ち防止変形自在パイプを設け、クリップをハンガー本体の上部に設けてキャッチャーとした。
「フックにおいて、
（１）ハンガー本体下部に４つの突起を設ける。
（２）突起部左右に可動自在フックを２つ設ける。
以上の構成からなる滑り落ち防止兼フック付きハンガー。」
【手続補正書】
【提出日】平成16年10月27日(2004.10.27)
【手続補正１】
【補正対象書類名】実用新案登録請求の範囲
【補正対象項目名】全文
【補正方法】変更
【補正の内容】
【実用新案登録請求の範囲】
【請求項１】
ハンガー本体に変形自在パイプを設け、ハンガー本体の上部にクリップを設けるとともに、ハンガー本体下部のフックを可動自在としたところを特徴とする、滑り落ち防止付フックハンガー。
(57)【要約】【課題】掛け布団にカバーをかける作業で、何度も布団を持ち上げたり動かしたりする不便さを取り除き、短時間で行うことが出来るようにする。【解決手段】掛け布団カバー本体中表１の開閉部分４を中央にし、それを掛け布団の上にのせて、掛け布団とカバーを固定するもの２で四角を固定する。そして四角をそれぞれひっくり返し布団を包み込んでゆく。布団をほとんどを持ち上げたり動かすことなく、また布団一枚分のスペースで楽に短時間に作業を行うことが出来る。【選択図】  図２
0003109016.tif 000002
【実用新案登録請求の範囲】
【請求項１】
カバーの開閉部分を中央にし、なおかつ中表（なかおもて）の状態を基本の形として、その状態からひっくり返すことにより、カバーかけ作業がより簡単に、しかも楽にできるカバー。
【考案の詳細な説明】
【考案の詳細な説明】
【技術分野】
【０００１】  この考案は、掛け布団にカバーを掛ける作業を楽にするために考えたものである。開閉部分を中央にし、中表（なかおもて）の状態からひっくり返し、包み込むことにより簡単にカバーをすることができる。掛け布団だけではなく、こたつカバー、クッションカバーなどにも応用できる。
【背景技術】
【０００２】  従来のカバーは、ほとんどが横の部分が開閉式となったものばかりで、開閉部分を中央にして中表（なかおもて）の状態から、ひっくり返し包み込んでカバーをするものはなかった。ファスナーの部分が多く、布団の出し入れが楽なものもあるが、布団を持ち上げなくてはならない。このカバーは布団をほとんど持ち上げることなく、布団一枚分のスペースで作業を行うことができる。
【考案が解決しようとする課題】
【０００３】  従来のカバーは横の開閉式がほとんどで、このタイプのものは布団の出し入れが大変である。カバーの四角（すみ）に布団の角を合わせるために、布団を何度か持ち上げたり、動かしたりしなくてはならず時間もかかり、腰や手の悪い人、また頻繁にカバーを取り替える仕事をされる人などには、大変な重労働である、と言う問題点がある。
【課題を解決するための手段】
【０００４】  開閉部分を中央にし、中表の状態をいつも基本の形とする。（図面１）カバーが中表なので布団の角とカバーの角が合わせやすくなる。それを掛け布団の上に置き四角（すみ）を合わせ、四角（すみ）に付いているリボンを結び布団を固定させたところで、それぞれひっくり返し包み込んでゆく。（図面２から図面３）すべて終りカバーの表で包まれたら、布団を少し持ち上げ中央の開閉部分を閉じる。（図面４）布団を持ち上げたり動かしたりせず、短時間で作業ができる。
【考案を実施するための最良の形態】
【０００５】      以下、本考案の実施の形態について説明する。
（イ）カバーの開閉部分４を中央にし、必ず中表の状態、図１を最初の基本の形として掛け布団にのせカバーをする。そうしなければ布団とカバーの四角（すみ）をきちんと合わせることも出来ず、ひっくり返すことも出来ない。
（ロ）カバーの四角（すみ）にリボンなどをつけ、布団の四角（すみ）と着脱できるものをつけた方が布団を固定することが出来る。
【考案の効果】
【０００６】  カバーの開閉部分を中央にし、中表の状態からひっくり返し包み込むようにカバーをすることによって、掛け布団をほとんど持ち上げずカバーをすることができる。
カバーを取り外すときも同様で、ほとんど布団を持ち上げる必要がない。また四角（すみ）を合わせるのが簡単なので、掛け布団にカバーをかける時間も短縮でき、さらにカバーを取り外し洗濯をする場合、中表の状態に戻ることによって、四角（すみ）に溜まるゴミも取り除くことができる。カバーを洗濯し干す場合も、中表の状態で干すため色あせも防げる。
【図面の簡単な説明】
【図１】中表（なかおもて）が基本の形のカバーの開閉部分を上にした平面図
【図２】掛け布団とカバーの四角（すみ）を固定し、角（すみ）に手を入れた平面図
【図３】１箇所の角（すみ）をひっくり返し、カバーの表面（おもてめん）が現れた平面図
【図４】４箇所の角（すみ）すべてをひっくり返し、カバーの表面（おもてめん）に包まれた布団の下になった開閉部分を閉じるために、布団を少し持ち上げた立体図
【符号の説明】
１・掛け布団カバー本体中表（なかおもて）
２・掛け布団とカバーを固定するもの
３・カバーの表面（おもてめん）
４・開閉部分
５・縫い代余り部分
６・掛け布団
【図１】
0003109016.tif 000003
【図２】
0003109016.tif 000004
【図３】
0003109016.tif 000005
【図４】
0003109016.tif 000006
【手続補正書】
【提出日】平成16年8月4日(2004.8.4)
【手続補正１】
【補正対象書類名】実用新案登録請求の範囲
【補正対象項目名】全文
【補正方法】変更
【補正の内容】
【実用新案登録請求の範囲】
【請求項１】
表面が内側に入った状態の袋状をしていて、中央に開閉部分を有している。収納する布団に載せて四隅を合わせ、開閉部分からひっくり返して布団を内部に収納したのち、開閉部分より閉じるようにしたことを特徴とした布団カバー。
【手続補正２】
【補正対象書類名】図面
【補正対象項目名】全図
【補正方法】変更
【補正の内容】
【図１】
0003109016.tif 000007
【図２】
0003109016.tif 000008
【図３】
0003109016.tif 000009
【図４】
0003109016.tif 000010
【手続補正書】
【提出日】平成17年1月11日(2005.1.11)
【手続補正１】
【補正対象書類名】実用新案登録請求の範囲
【補正対象項目名】全文
【補正方法】変更
【補正の内容】
【実用新案登録請求の範囲】
【請求項１】
表面が内側に入った状態の袋状をしていて、片面の中央に開閉部分を有している布団カバー。
(57)【要約】      （修正有）【課題】指を舐めずに、書類が捲れ、どこへでも簡単に持ち運びが出来、使いやすく邪魔にならない。【解決手段】ペン１の頭にゴム２を貼り付ける事で上記課題を解決した。いつでもペンと一緒である。【選択図】図１
0003109012.tif 000002
【実用新案登録請求の範囲】
【請求項１】
ペン１の頭３のところにゴム２を貼り付け、書類等、紙を捲る。
【考案の詳細な説明】
【考案の詳細な説明】
【考案が解決しようとする課題】
【００１】年を重ねてくると、指先に油分がなくなり、書類等、紙を捲る時に滑って捲れない。その結果、指を舐めて紙を捲らざるを得ない為不潔であり、他の人に嫌悪感を与えていた。
従来品の指サックは室内で書類等を扱う専門職の人々には便利であるが、外で多く仕事をする人，専門職以外の人にとってはとっさに紙を捲りにくいという問題を有していた。
【考案が解決するための手段】
【００２】ペンの頭にゴムを貼り付けるようにした。
【考案の効果】
【００３】外出先で書類を捲る時にいちいち指を舐める必用がなくなり、他の人に不潔感、嫌悪感を与える事がなくなった
【図面の簡単な説明】
【図１】  ペンと貼り付けるゴムの側面図である。
【図２】  ペンと貼り付けるゴムの斜視図である。
【図３】  頭３の方から見た正面図である。
【符号の意味】
１      ペン
２      ゴム
３      ペンの頭
【図１】
0003109012.tif 000003
【図２】
0003109012.tif 000004
【図３】
0003109012.tif 000005
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
ペン１の頭３のところにゴム２を貼り付ける。
【手続補正書】
【提出日】平成16年11月15日(2004.11.15)
【手続補正１】
【補正対象書類名】実用新案登録請求の範囲
【補正対象項目名】全文
【補正方法】変更
【補正の内容】
【実用新案登録請求の範囲】
【請求項１】
ペン１の頭３のところにゴム（２）を貼り付けたペン。
(57)【要約】【課題】指の疲労を伴うことなく痛点の部分を長時間継続して加圧し続けるようにする。【解決手段】加圧体２を、円形の基板３の片面に平行して３本の突条部４、５、６を一体的に形成し、該３本の突条部４、５、６を、その中央の突条部５を最も高くなすと共に中央を除く両側の２本の突条部４、６を中央部において窪ませてなる構成とする。該加圧体２を粘着シート７の粘着面７ａの中央部に貼着する。【選択図】図１ 
0003109003.tif 000002
【実用新案登録請求の範囲】
【請求項１】
円形の基板の片面に平行して３本の突条部を一体的に形成し、該３本の突条部を、その中央の突条部を最も高くなすと共に中央を除く両側の２本の突条部の頂部を中央部において窪ませてなる加圧体と、前記加圧体を粘着面の中央部に貼着した粘着シートとからなる加圧治療具。
【考案の詳細な説明】
【技術分野】
【０００１】
本考案は人体の皮膚表面に点在する痛点を加圧して刺激を与えることにより、変調部位の痛みを和らげ或いは治療する加圧治療具に関するものである。
【背景技術】
【０００２】
人体のいずれかの部位に疾病等による変調が生ずると、その反応は痛みとしてその変調が生じた部位に対応した皮膚の表層に現れる。そして、この痛みを直接感じる部分又は押してみて痛みを感じる部分が圧痛点又は痛点と称されている。
【０００３】
そしてまた、皮膚の表面からこの痛点を加圧して刺激を与えると血流が促進され、変調部位の痛みを和らげ或いは治療することができる。
【０００４】
そこで、従来この痛点を指で加圧する指圧療法が行われてきた。しかし、指圧の場合には指が疲労しやすく、長く続けることはできない。
【考案の開示】
【考案が解決しようとする課題】
【０００５】
本考案は上記の点に鑑みなされたものであって、痛点の部分の皮膚表面に貼り付けることによって、指圧のように指が疲れることもなく、長く継続して皮膚の表面から痛点を加圧することができるようになした加圧治療具を提供せんとするものである。
【課題を解決するための手段】
【０００６】
而して、本考案の要旨とするところは、円形の基板の片面に平行して３本の突条部を一体的に形成し、該３本の突条部を、その中央の突条部を最も高くなすと共に中央を除く両側の２本の突条部の頂部を中央部において窪ませてなる加圧体と、前記加圧体を粘着面の中央部に貼着した粘着シートとからなる加圧治療具にある。
【考案の効果】
【０００７】
本考案は上記の如き構成であり、円形の基板の片面に３本の突条部を形成してなる加圧体を粘着シートをもって皮膚の表面に貼り付けるだけで済むから、従来の指圧による場合のように指が疲労することがない。そしてまた、貼り付けたままにしておくものであるから、基板に形成した突条部によって長時間継続して痛点を加圧し続けることになり、より一層変調部位の痛みを和らげ或いは治療する効果を高めることができるものである。
【考案を実施するための最良の形態】
【０００８】
本考案を実施するための最良の形態は、直接人体を加圧する加圧体を、円形の基板の片面に平行して３本の突条部を一体的に形成し、該３本の突条部を、その中央の突条部を最も高くなすと共に中央を除く両側の２本の突条部を中央部において窪ませてなる構成とし、そして該加圧体を粘着シートの粘着面の中央部に貼着することにある。
【実施例】
【０００９】
以下、本考案の実施例について図面を参照しつつ説明する。
図１は本考案の実施例に係る加圧治療具の斜視図、図２は同正面図、図３は同平面図、図４は粘着シートの粘着面に剥離紙を貼着した状態の斜視図である。
【００１０】
図中、１は加圧治療具であり、後記加圧体と粘着シートとからなるものである。２は加圧体であり、痛点に対応する広さを有し、本実施例では直径５．０ｍｍとなした円形の基板３の片面に平行して３本の突条部４、５、６を一体的に形成し、該３本の突条部４、５、６を、中央の突条部５を最も高くすると共に中央を除く両側の２本の突条部４、６の頂部を中央部において窪ませてなるものである。尚、各突条部４、５、６は、その幅を０．３〜０．６ｍｍ、高さを０．５〜０．８ｍｍとしている。
【００１１】
７は片面を粘着剤を塗布して粘着面７ａとした粘着シートである。該粘着シート７は、その粘着面７ａの中央部に前記加圧体２を貼着し、加圧体２を痛点の部分の皮膚表面に貼り付けるものである。また、該粘着シート７は、使用するまでは加圧体２の基板３の部分を切除８ａした剥離シート８に貼着している。
【００１２】
而して、上記加圧治療具を使用するときには、粘着シート７を剥離シート８から引き剥がし、加圧体２の突条部４、５、６が痛点の部分に当たるようにして、皮膚の表面に貼り付けるものである。これにより、痛点は長時間継続して加圧されることになり、変調部位の痛みを和らげ或いは治療する効果を確実に高めることができる。そしてまた、指圧の如く指が疲労することもない。
【図面の簡単な説明】
【００１３】
【図１】本考案の実施例に係る加圧治療具の斜視図である。
【図２】本考案の実施例に係る加圧治療具の正面図である。
【図３】本考案の実施例に係る加圧治療具の平面図である。
【図４】粘着シートの粘着面に剥離紙を貼着した状態の斜視図である。
【符号の説明】
【００１４】
１  加圧治療具
２  加圧体
３  円形の基板
４、５、６  突条部
７  粘着シート
【図１】
0003109003.tif 000003
【図２】
0003109003.tif 000004
【図３】
0003109003.tif 000005
【図４】
0003109003.tif 000006
(57)【要約】【課題】本考案は、学校にて児童、生徒、教職員が安心して学校生活が出来るように部外者の不法侵入を感知して、児童、生徒、教職員を不法侵入者による暴行や暴漢者による殺傷事件を未然に防止し、学校の財産を守るシステムである。【解決手段】登校時に身につける、ランドセル１、ＩＤカ−ド２、靴３、帽子４、制服５、ネクタイ６等に情報入りＩＣチップを取り付け、登校する際に校門や通用口に支柱７、マット１３に情報読み取り機１２ａ、１２ｂにて当該学校の関係者を認識して、通常の登校ができる。保護者や当該学校への来訪者は、通話機１１ａにて管理室１４の管理者と通話機１１ｂへ連絡し、来校の目的や身分を確認後許可された者のみが入校できる。部外者の不法侵入者や暴漢者に対しては、情報読み取り機１２ａの作動により赤色回転灯８と警報機９にて学校の内外へ不法侵入者を知らせ、同時に警報ブザ−にて校内管理者へ周知させる。この警報機が作動すると校舎内外のカメラ１０と、モニタ−テレビ１６にて不法侵入者の動向を把握することにより、児童、生徒、教職員の安全を守り、学校の財産を守ることができるシステムである。【実用新案登録請求の範囲】
【請求項１】
児童、生徒、教職員は、ランドセル、ＩＤカ−ド、靴、帽子、制服、ネクタイ等、通学時に身に付ける物に本校の身分情報を入力したＩＣチップを埋め込み、児童・生徒、教職員が利用する通用口に情報読み取り装置を支柱と、マットに設置することにより外部からの不振者や暴漢の侵入を感知し、不振者の侵入を管理者や学外に知らせ児童・生徒、教職員の安全を守ると同時に、多発する校舎への投石や金属バットによる学校の財産の被害防止を目的とするシステム。
【考案の詳細な説明】
【技術分野】
【０００１】本考案は、当該する学校の児童、生徒、教職員が通常登校する際、ランドセル、ＩＤカ−ド、靴、帽子、制服、ネクタイ等にＩＣチップを利用して、当該の学校の情報を入力して、日常的に登校できる者と部外者や不振者を判別して暴漢等の侵入にを感知して、即座に学校の内外に不振者の侵入を知らせるシステムである。【０００２】本考案は、当該する学校の児童、生徒、教職員は、当該学校の情報をＩＣチップを利用することにより日常的に登校ができる。部外者や不振者に対しては支柱とマットに設置した情報読み取り機が作動して赤色回転灯、警報機、警報ブザ−にて即座に学校内外に侵入を知らせ、モニタ−テレビにて侵入者の行動を把握し監視するシステムである。
【背景技術】
【０００３】学校で学業を営む児童・生徒のような弱者や教職員を校内において暴漢から守る手段がなかった。このことにより児童殺傷事件や無断侵入者からの被害を防止するため学校の内外へ侵入者を知らせ被害を未然に防ぐ手段として考案した。
【考案の開示】
【考案が解決しようとする課題】
【０００４】登校する児童、生徒、教職員は当該学校の情報をＩＣチップに入力したランドセル、ＩＤカ−ド、靴、帽子、制服、ネクタイを身につけていることにより、校門から通常どおり登校ができる。部外者や不振者又は、暴漢が無断侵入しようとした場合は、情報読み取り機が侵入者を感知して赤色回転灯、警報機、警報ブザ−にて学校の内外に知らせ、モニタ−テレビで侵入者の動向を知ることにより痛ましい児童殺傷事件等を防止し、ガラス割り等を含む学校の財産を守り、校内に飼っている小動物の殺傷等を防止する。
【課題を解決するための手段】
【０００５】当該する、児童・生徒、教職員は登校に際して、ランドセル、ＩＤカ−ド、靴、防止、制服、ネクタイ等に情報入りＩＣチップを身につけている事により登校に支障はない。ＩＣチップを身につけていない部外者や不振者又は暴漢は、情報読み取り機の作動により、赤色回転灯、警報機、警報ブザ−でその侵入を即座に学校内外に知らせ暴漢から児童・生徒を守り、教職員又は、管理者はモニタ−テレビで侵入者の動きを把握して対処できる。又、多発する夜間の侵入者による校舎への被害も赤色回転灯、警報機で学校の内外に知らせ防止できる。
【考案の効果】
【０００６】本考案は、登校する児童・生徒、教職員と部外者や暴漢と即座に識別できるものであり、学校内で大きな社会問題の児童殺傷事件や校舎に対する被害を防止できる。
【考案を実施するための最良の形態】
【０００７】本考案の最大の特徴は、児童・生徒、教職員が登校する際身につけている、ランドセル、ＩＤカ−ド、靴、帽子、制服、ネクタイ等に当該学校の情報入力済みＩＣチップにて情報読み取り機の識別により通常どおり登校できる。その他の入校に関しては、例えば保護者や来客者は通話機にて来校の目的と身分を通話機へ連絡する。確認後、許可を受けた者だけが入校できる。無断侵入者は情報読み取り機が作動し、赤色回転灯、警報機、警報ブザ−で学校内外に侵入者を知らせ、教職員はモニタ−テレビで不振者の動向を把握し乍ら対処できる。
【実施例】
【０００８】校門や通用口に支柱とマットを設置してその情報を管理室にて監視する。支柱には、回転赤色灯、警報機、監視カメラ、通話機、情報読み取り機が装備されている。マットには情報読み取り機が装備されている。児童・生徒、教職員は支柱の側面とマットの上を通過する。情報読み取り機で当該学校の者と判断してスム−ズに登校ができる。外部からの入校希望者は、通話機にて来校の目的を申し入れをした後、許可を受けた者だけが入校できる。その他無断侵入者が入校をした場合は、支柱に装備されている。回転赤色灯、警報機、警報ブザ−にて無断侵入者を知らせてモニタ−テレビで無断侵入者の動向を監視して対処できる。
【産業上の利用可能性】
【０００９】大きな社会問題となった大量児童殺傷事件を始め、学校内に刃物を持って侵入してくる異常者、相変わらず無くならない校舎のガラス割りや盗難、落書き、校内で飼育しているウサギ小屋に犬を放しかみ殺させる等、本来は教育の場である学校内での事件からこれから日本を担う児童・生徒の身体と豊かな人間育成を育み教職員が安心して教育を行える学校を形成しなければ成らない。同時に公の財産である学校を守るためのシステムである。
【図面の簡単な説明】
【００１０】
【図１】ＩＣチップを入れた通常登校する際、身につける物の平面図と情報読み取り機等を備えた支柱とマットの平面図をを示す。
【符号の説明】
【００１１】  １…ランドセル１
２…ＩＤカ−ド四角１
３…靴１
４…帽子１
５…制服１
６…ネクタイ１
７…支柱角体１
８…赤色回転灯１
９…警報機１
１０…防犯カメラ１
１１ａ…通話機１
１１ｂ…通話機１
１２ａ…情報読み取り機１
１２ｂ…情報読み取り機１
１３…マット１
１４…管理室１
１５…警報ブザ−１
１６…モニタ−テレビ１
【図１】
0003109008.tif 000002
(57)【要約】      （修正有）【課題】ポケットティッシュの付加価値を上げて企業側と受取側の両方にメリットが出来るようにする。【解決手段】ポケットティッシュの袋の中に袋入りの救急絆創膏を入れてあることによって今までに無い受取側の携帯の頻度が確実に高くなり企業の宣伝効果とイメージアップを一層得られる。【選択図】図１
0003109061.tif 000002
【実用新案登録請求の範囲】
【請求項１】
ポケットティッシュのポリ袋の中に、袋入りの救急絆創膏を入れた事を特徴とするポケットティッシュ。
【考案の詳細な説明】
【技術分野】
【０００１】
この考案は、ポケットティッシュのポリ袋の中に救急絆創膏を一体型にして企業等の宣伝効果を高めるようにしたものである。
【背景技術】
【０００２】
ポケットティッシュを街頭で配ったりしている現在、受け取る人は自然に手が出てもらい企業等はポケットティッシュの中に入っているラベルの印刷で宣伝効果を上げている。
【特許文献１】登録実用新案第３０３５０４６号
【考案の開示】
【考案が解決しようとする課題】
【０００３】
従来のポケットティッシュは企業等の販促品として一番世間に出回っている物で企業等は宣伝等をデザインしたものを印刷したラベルをポケットティッシュの中に差し込み街頭で配っている。受け取った人は当たり前の様にもらい使い方も鼻をかんだり、顔をふいたり、メガネを拭く程度でマンネリ化が進んでいる。企業側も宣伝効果に行き詰まっている。
【０００４】
この考案は従来のポケットティッシュに付加価値をつけて企業側と受取側の両方が満足できるようにしたポケットティッシュの提供を目的としている。
【課題を解決するための手段】
【０００５】
この目的を達成するために、この考案ではポケットティッシュのポリ袋の中にあるティッシュペーパーの上に袋入りの救急絆創膏を入れて一体化にする。救急絆創膏の表面に企業の宣伝等を印刷する。
【考案の効果】
【０００６】
この考案のポケットティッシュによれば従来のポケットティッシュより付加価値が上がりポケットティッシュの袋の中に救急絆創膏を入れてあることによって携帯頻度も高くなる。それによって企業の宣伝効果が絶大である。
【考案を実施するための最良の形態】
【０００７】
図１はポケットティッシュを実施した時の正面図である。この考案に於いてはポケットティッシュのポリ袋の中に小袋入りの救急絆創膏を入れる。この絆創膏の表面には企業等の宣伝を印刷してあるため、付加価値が更に高くなり宣伝効果を上げることが出来る。
【図面の簡単な説明】
【０００８】
【図１】この考案によるポケットティッシュの説明図である。
【符号の説明】
【０００９】
１ポケットティッシュ本体
２ポリ袋
３ティッシュペーパー
４救急絆創膏
５ポケットティッシュ本体の中央部のミシン目
【図１】
0003109061.tif 000003
(57)【要約】      （修正有）【課題】波乗り式で前進できる波乗り型キックボードを提供する。【解決手段】車体フレーム１の後端に車輪軸１１１で後輪１１が枢設され、車体フレームの前端にはハンドル桿１２が枢設され、そのハンドル桿の下端には前輪１３が枢設される波乗り型キックボードにおいて、ローラー２、短連桿３、長連桿４、及びスタンド板５を備え、車体フレームの中段にローラー２が枢設され、短連桿一端に後輪の車輪軸が固定され、別端には長連桿の一端が枢設され、長連桿にスタンド板が固定され、スタンド板は車体フレーム中段のローラー上に乗せられ、スタンド板が前後移動されることによって長連桿が短連桿を連動させて後輪１１が回転する。【選択図】図１
0003109062.tif 000002
【実用新案登録請求の範囲】
【請求項１】
車体フレームの後端に車輪軸で後輪が枢設され、車体フレームの前端にはハンドル桿が枢設され、前記ハンドル桿の下端には前輪が枢設される波乗り型キックボードにおいて、
ローラー、短連桿、長連桿、及びスタンド板を備え、
ローラーは、車体フレームの中段に枢設され、
短連桿の一端に後輪の車輪軸が固定され、別端には長連桿の一端が枢設され、
長連桿にはスタンド板が固定され、
スタンド板は車体フレームの中段のローラー上に乗せられ、
スタンド板が前後移動されることによって長連桿が短連桿を連動させて後輪が回転することを特徴とする波乗り型キックボード。
【考案の詳細な説明】
【技術分野】
【０００１】
本考案は、波乗り型キックボードに関するものである。
【背景技術】
【０００２】
今日、流行のキックボードはスタンド板にハンドル桿を設置し、底部には車輪を設置する。使用者はボード上に立ち、両手でハンドル桿を支えてキックボードを使用する。足で地面を蹴って前進させることは非常に体力を使うので、速度を上げるためにローラーを大きくし、ボード上にスタンド板及び単行ギアを設置する。これによってキックボードは単行伝導によって瞬間的に加速される。
【考案の開示】
【考案が解決しようとする課題】
【０００３】
解決しようとする問題点は、ボード上に足を置いたり、地面を蹴ったりする動作によってのみ前進し、波乗り式では前進できない点である。
【課題を解決するための手段】
【０００４】
本考案の波乗り型キックボードは、車体フレームの後端に車輪軸で後輪が枢設され、車体フレームの前端にはハンドル桿が枢設され、そのハンドル桿の下端には前輪が枢設される。本考案の波乗り型キックボードは、ローラー、短連桿、長連桿、及びスタンド板を備え、車体フレームの中段にローラーが枢設され、短連桿一端に後輪の車輪軸が固定される。別端には長連桿の一端が枢設され、長連桿にスタンド板が固定される。スタンド板は車体フレーム中段のローラー上に乗せられ、スタンド板が前後移動されることによって長連桿が短連桿を連動させて後輪が回転することを最も主要な特徴とする。
これにより、本考案の波乗り型キックボードは、波乗り式でキックボードを前進させるという利点がある。
【考案を実施するための最良の形態】
【０００５】
図１に示すように、本考案の一実施例による波乗り型キックボードは、車体フレーム１後端に車輪軸１１１で後輪１１が枢設される。車体フレーム１前端にはハンドル桿１２が枢設され、ハンドル桿１２下端には前輪１３が枢設される。
本考案の一実施例による波乗り型キックボードは、ローラー２、短連桿３、長連桿４、及びスタンド板５を備え、車体フレーム１の中段にローラー２が枢設される。短連桿３の一端には後輪１１の車輪軸１１１が固定され、別端には長連桿４の一端が枢設される。長連桿４上にはスタンド板５が固定され、そのスタンド板５は車体フレーム１の中段のローラー２上に置かれる。
図２及び図３に示すように、使用者がスタンド板５上で前後移動するサーフィンに似た動きをすることにより、スタンド板５と長連桿４が短連桿３と連動して回転し、短連桿３が後輪１１の車輪軸１１１を回転させ、後輪１１が回転する。
【図面の簡単な説明】
【０００６】
【図１】本考案の一実施例による波乗り型キックボードの側面図である。
【図２】本考案の一実施例による波乗り型キックボードの作動指示図である。
【図３】本考案の一実施例による波乗り型キックボードの作動指示図である。
【符号の説明】
【０００７】
１  車体フレーム、１１  後輪、１１１  車輪軸、１２  ハンドル桿、１３  前輪、２  ローラー、３  短連桿、４  長連桿、５  スタンド板
【図１】
0003109062.tif 000003
【図２】
0003109062.tif 000004
【図３】
0003109062.tif 000005
(57)【要約】      （修正有）【課題】火力調整の難しい炭火の火力を容易に調整して、焦げや焼き過ぎのないおいしいバーベキュー調理ができるようにするとともに、支柱が炭火箱を囲む人々の邪魔をしないようにする。【解決手段】着火放熱する炭火箱の両側に垂直立てと水平張り出しと垂下収納の３段に切替可能な回動帯板を取付け、該回動帯板の外縁に刺し串の支持溝を多数設け、また炭火箱を中心部下に取付ける支柱にて支持するようにしたことを特徴とするバーベキュースタンド。【選択図】図２
0003109091.tif 000002
【実用新案登録請求の範囲】
【請求項１】
着火放熱する炭火箱の両側に垂直立てと水平張り出しと垂下収納の３段に切替可能な回動帯板を取付け、該回動帯板の外縁に刺し串の支持溝を多数設けたことを特徴とするバーベキュースタンド。
【請求項２】
炭火箱を中心部下に取付ける支柱にて支持するようにした請求項１に記載のバーベキュースタンド。
【考案の詳細な説明】
【技術分野】
【０００１】
この考案はバーベキュースタンド、詳しくは野外に持ち運んで使用するバーベキュースタンドに関するものである。
【背景技術】
【０００２】
この種のスタンドとしては特公平７−８８９４９号公報がある。該公報は火源箱体を中心に有すテーブルを四隅に設ける支持脚にて支持するようにしたことを記載している。
【特許文献１】特公平７−８８９４９号公報
【考案の開示】
【考案が解決しようとする課題】
【０００３】
しかしながら、ガスコンロの場合はガス栓の開閉調整にて火力を調節することができるが、炭火の場合は一旦燃え上がると火力の調整が容易でないという課題がある。またスタンドの四隅の支持脚はスタンドを囲んで腰掛ける人々の邪魔になるという課題がある。
【課題を解決するための手段】
【０００４】
本考案は、炭火箱上に渡す刺し串，焼網を炭火箱上にて遠近させることで火力の強さに対応調整し、また炭火箱を支持する支柱を炭火箱下の中心部に集めて、かかる課題を解決するようにしたのである。
【考案の効果】
【０００５】
本考案は以上の構成により、炭火によるバーベキューは火力の強弱に対応して遠近させることができることとなるので、焦げは勿論焼きすぎることが生じないという効果を生ずる。また炭火箱下の支柱を中心部に設けて四隅立てをなくしたから野外において炭火箱を囲んむ人々の足を邪魔することが解消してバーベキューを快適に楽しむことができるという効果を生ずる。
【考案を実施するための最良の形態】
【０００６】
本考案は、着火放熱する炭火箱の両側に回動帯板を設けて火力の強いときは該回動帯板を炭火箱上に立てて渡架する刺し串または焼網を炭火箱から段高にして火力を調整するようにし、炭火箱を中心部下に設ける支柱などにて支持するようにして、炭火箱を囲んで腰掛ける人の足を邪魔しないようにしたのである。
【実施例１】
【０００７】
矩形等をした無蓋の炭火箱１の長手方向の両側に回動帯板２ａ，２ｂを取付ける。２ｃは取付板、２ｄは回動軸、２ｅは固定用ピンである。該回動帯板２ａ，２ｂは通常は図３（ａ）に示すように炭火箱１に沿って垂下収納されており、炭火箱１内の炭火が燃え盛って火力が強くなったときは図１，図３（ｂ）に示すように外廻しにより垂直立てして、図２（ａ）に示すように支持溝３を通常の網面４から段高に離して火力を調整して支持溝３，３間に刺し串５を渡し、あるいは図２（ｂ）に示すように別の焼網６を載せてバーベキューをするのである。焼網６は直接回動帯板２ａ，２ｂ上に載せてもよい。
【０００８】
火力が収まってきたときは回動帯板２ａ，２ｂを外廻しにより垂下させて、通常の網面４上にてバーベキューをするのである。なお図３（ｃ）に示すように回動帯板２ａ，２ｂを水平張り出し位置にするときは物を載せたり刺し串などをかけ提げたりして利用することができる。
【０００９】
炭火箱１は中心下に１本の支柱７を取付けている。支柱７は下部に三脚７ａを取付けるもののほか、図４（ａ）に示すように平らな円板形の台板７ｂにより支持したり、また図４（ｂ）に示すように水を入れて安定させるタンク式の台座７ｃに挿し立てて支持するようにしてもよい。８は支柱７を高さ調整自在に挿通する筒体で、蝶ネジ８ａの締め弛めにより炭火箱１の高さを自在に調整できるようにしている。
【００１０】
なお支柱７，三脚７ａ等は取り外し自在とし、バーベキューが終了した際は分解して炭火箱１内に収納できるようにして持ち運びや保管を便利にしている。
【産業上の利用可能性】
【００１１】
本考案は以上のようにして、炭火火力を容易に調整できるようにし、支柱が足の邪魔にならないようにしたので、誰でも上手に野外のバーベキュー料理を楽しむことができるものとなる。
【図面の簡単な説明】
【００１２】
【図１】回動帯板を垂直立てした状態にて示す全体斜視図
【図２】同、（ａ）は支持溝間に刺し串を渡架して火力調整する状態、（ｂ）はさらに刺し串上に焼網を載せる調理例を示す部分斜視図
【図３】（ａ）は回動帯板の収納時、（ｂ）は垂直立て時、（ｃ）は水平張り出しした状態を示す部分側面図
【図４】（ａ）は支柱を円板形の台板にて支持した例、（ｂ）はタンク式の台座に挿し立てした例を示す斜視図
【符号の説明】
【００１３】
１は炭火箱
２ａ，２ｂは回動帯板
２ｃは取付板
２ｄは回動軸
２ｅは固定用ピン
３は支持溝
４は網面
５は刺し串
６は焼網
７は支柱
７ａは三脚
７ｂは円板形の台板
７ｃはタンク式の台座
８は筒体
８ａは蝶ネジ
【図１】
0003109091.tif 000003
【図２】
0003109091.tif 000004
【図３】
0003109091.tif 000005
【図４】
0003109091.tif 000006
(57)【要約】      （修正有）【課題】屋内から朝や昼時に、カーテンを閉じたまま、プライバシーを確保しながらの外部の天候や太陽光の強度や紫外線量の度合いを屋内に居ながら確認する。【解決手段】太陽光に含まれる主に紫外線の作用で発色または変色する糸３が一部または全部に使用された布地であり、この糸が太陽光を受けて発色または変色する程度を非受光側である布地の裏側より視覚で捉えることにより、屋外の紫外線強度の状況を屋内で感知できる。【選択図】図１
0003109053.tif 000002
【実用新案登録請求の範囲】
【請求項１】
太陽光に含まれる主に紫外線の作用で発色または変色する糸が一部または全部に使用された布地であり、該糸が太陽光を受けて発色または変色する程度を布地の屋内側より視覚で捉えることにより、屋外の紫外線強度の状況を屋内で感知できることを特徴としたカーテン。
【請求項２】
使用されている糸は太陽光に含まれる主に紫外線の作用で発色または変色する物質を含有し、且つ、糸で編んだ布地の裏側まで該発色または変色する物質を十分に発色または変色できる光量を通過できる糸であることを特徴とした請求項１記載のカーテン。
【請求項３】
請求項１において、太陽光が当たらない時は、その地色が略白色であるカーテン。
【考案の詳細な説明】
【技術分野】
【０００１】  本考案は、窓やガラス戸等に併設する布地等のカーテンに関する。
【背景技術】
【０００２】窓やガラス戸に併設する従来のカーテンは、遮光と保温を目的として構成されている。従って朝、外部の天候の確認、あるいは日中の日差しの強さの確認はその都度、カーテンを開けて外部を確認していた。【０００３】上記の従来技術には次のような問題があった。
遮光を目的としたカーテンでは、朝、あるいは昼時に、外部の天候や日差しの強さを確認するにはその都度、開口するため、面倒であり、その開口時、外部から内部が見えて、プライバシーの確保にも問題があった。
【考案の開示】
【考案が解決しようとする課題】
【０００４】朝や昼時に、プライバシーを確保しながらの外部の天候や太陽光の強度の確認を可能にする。
【課題を解決するための手段】
【０００５】
【手段１】
太陽光に含まれる主に紫外線の作用で発色または変色する糸が一部または全部に使用された布地であり、この糸が太陽光を受けて発色または変色する程度を非受光側である布地の裏側より視覚で捉えることにより、屋外の紫外線強度の状況を屋内で感知できることを手段としたカーテン。
【手段２】
使用されている糸は太陽光に含まれる主に紫外線の作用で発色または変色する物質を含有し且つ糸自身が、糸で編んだ布地の裏側まで該発色または変色する物質を十分に発色または変色できる光量を通過できる糸で構成した手段１記載のカーテン。
【手段３】
手段１において、太陽光が当たらない時は、その地色が略白色であるカーテン。
【考案の効果】
【０００６】  本考案のカーテンは、以下の効果を有する。
１）プライバシーを確保しながら、従ってカーテンを開けなくても、屋内から外部の天候状態あるいは太陽光の強さをカーテンの発色または変色度合いにより目視で確認可能となる。
２）カーテンの一部たとえば上部のみに本考案のカーテンを使用した場合にも、プライバシーを確保しながら、従ってカーテンを開けなくても、屋内から外部の天候状態あるいは太陽光の強さをカーテンの発色または変色度合いにより目視で確認可能となり、その便利性が増加する。
３）逆に夜間時、屋内で紫外線を含む照明を用いれば、カーテンの発光や変色ができて、インテリア性、装飾性に富み、その変化を楽しむこともできる。
【考案を実施するための最良の形態】
【０００７】太陽光に含まれる主に紫外線の作用で発色または変色する糸は前述したように特殊な紫外線による発色または変色する物質を糸に塗布あるいは含有させるために、一般の糸よりコストは高くなる。一般にカーテン布地は緯糸、経糸あるいは地糸、柄糸等の複数の異なる糸を用いて模様を付けたりしながら編み込む。そのため、紫外線の作用で発色または変色する糸は上記の複数の糸の一部に使用すればそれほどコストを上げずに、その目的を達成できる。あるいは上記のようにして編んだ布地を前述したようにカーテンの上部等の一部に使用しても良い。
【実施例１】
【０００８】図１により本考案の構成とその実現の具体的方法を示す。
図１は３種類の異なる糸、１、２、３を用いて本考案のカーテンを編み込む場合の図である。図１で１は地糸の緯糸、２は地糸の経糸を、点線で示した３は太陽光に含まれる主に紫外線の作用で発色または変色する糸であり柄糸として用いた例でる。この場合、太陽光に含まれる主に紫外線の作用で発色または変色する柄糸３は地糸の経糸２を４本に１回の割合で使用した例である。この割合は当然自由に変更できる。また１の緯糸側に３を適当な割合で使用しても良く、３を緯糸と経糸の両方に適宜使用しても良い。また３で模様を画いても良い。この場合、これら使用する糸１，２，３は光をある程度通過させて布地の表や裏等のいかなる個所でも発色、変色を起こす物質に、あるいは発光、変色する糸に光を与えて発光、変色作用を妨げないものが望ましい。またカーテン布地の色は白色であると、発光、変色した度合いが目視で容易に確認し易いことになるので地糸の１、２は白色が望ましい。
この様にして編み上げられた布地によるカーテンは太陽光が当たると発光、変色し、太陽光の強度や紫外線の含まれる割合が強いほど、その発光、変色の度合いも比例して増すので、目視で室内から容易に外部の太陽光の状況が確認でき、外出するときの、服装、帽子、サングラス等の準備に極めて便利となる。また夜間時、屋内で紫外線を含む照明を用いれば、カーテンの発光や変色ができて、インテリア性、装飾性に富み、その変化を楽しむこともできる。
【産業上の利用可能性】
【０００９】プライバシーを確保しながら、従ってカーテンを開けなくても、屋内から外部の天候状態あるいは太陽光の強さをカーテンの発光または変色度合いにより目視で確認できるカーテンはその便利性、装飾性等から産業上の利用可能性は高く、実用上も技術的な困難さもなく市場ニーズの高い製品の提供となる。
【図面の簡単な説明】
【００１０】
【図１】  本考案の説明図。
【符号の説明】
【００１１】    １      地糸、
２      地糸
３      発色、変色する柄糸
【図１】
0003109053.tif 000003
(57)【要約】      （修正有）【課題】プラスチックのペレットを用いて植物の栽培をすることができる植栽用セットを提供する。【解決手段】透明なプラスチック容器１の中にプラスチックのペレット２を設け、プラスチックの容器１の中に入れて植物３を植え込んで水４を入れて栽培する。着色したプラスチックのペレット２を数種類用いると、オリジナルな色彩に透明なプラスチック容器１の中が美しく変化する。又、プラスチックのペレット２は水洗いが出来て、再生可能で、何回でも植栽ができる。【選択図】図１
0003109051.tif 000002
【実用新案登録請求の範囲】
【請求項１】
植裁用セットにおいてプラスチックの容器と着色したプラスチックのペレットを備えることをとくちょうとした植裁用セット
【考案の詳細な説明】
【技術分野】
【０００１】  本考案は、プラスチックのペレットを利用して植物を栽培することができるセットである。
【技術背景】
【０００２】  従来の栽培は、園芸用土を使用して植物を栽培していた。（土、石、砂、ガラス球）
【考案の開示】
【考案が解決しようとする課題】
【０００３】  これは、次のような欠点があった。
イ・不潔である    ロ・室内での作業が出来ない    ハ）・手が汚れる
ニ・再生が出来ない    ホ・害虫が生育する為、消毒が必要である
ヘ・用土の入れ替えに手間がかかる
以上の欠点を解決する為になされたものである。
【課題を解決する為の手段】
【０００４】  本考案は、透明なプラスチック容器の中に、プラスチックのペレットを設け、プラスチックの容器の中に入れ、植物を植え込んで栽培する。その為に、手間がかからずに、清潔で室内でも植え替えが出来て、手が汚れずに、又水洗いすればプラスチックのペレットの再生が直ぐに可能になる為に、問題点を解決している。プラ、ペレは工場で製造する為に割れなく、比重も型も自由に作れる。
【考案の効果】
【０００５】  本考案を使用することによって、見た目にもきれいで、清潔さを保つことができる。不純物が混合していない為に、プラスチック容器の中がきれいである。植物の発育に優れている。水洗いが出来て、プラスチックのペレットが再生可能となる。植物の根腐されを防ぐことができる。
【考案を実施するための最良の形態】
【０００６】  本考案を使用するときは、透明なプラスチック容器の中にプラスチックのペレットを設けて植物を植え込んで、水を入れて栽培する。
【実施例】
【０００７】  以下、添付図面に従って、一実施例を説明する。透明なプラスチック容器１の中にプラスチックのペレット２を設け、プラスチックの容器１の中に入れ、植物３を植え込んで、水４を入れて栽培する。
【図面の簡単な説明】
【０００８】
【図１】本考案のプラスチックのペレットを使用した植栽の一実施例を示す正面図である。
【図２】本プラスチックのペレットを利用した植栽の断面図である。
【符号の説明】
【０００９】１  透明なプラスチックの容器
２  プラスチックのペレット
３  植物
４  水
【図１】
0003109051.tif 000003
【図２】
0003109051.tif 000004
(57)【要約】      （修正有）【課題】タイヤのバーストの解消、構造の簡素化による小型化およびこの結果による小型タイヤの不快音の解消ならびに気体圧調整からの解放等。【解決手段】タイヤの空洞部分に気体圧に代わる発泡性の高分子素材Ｇを満たすことによって、この課題を解決する。【選択図】図１
0003109044.tif 000002
【実用新案登録請求の範囲】
【請求項１】
クッション性を気体圧に代わる高分子素材の弾力にのみ求めたタイヤ
【考案の詳細な説明】
【技術分野】
【０００１】  本考案は、気体圧を必要としないタイヤに関するものである。
【背景技術】
【０００２】  従来のゴムのタイヤは、チューブまたはチューブレス方式ともに気体圧によって形状を保持するとともにクッション性を維持している（図２）。
【考案の開示】
【考案が解決しようとする課題】
【０００３】  このことから、従来のゴムのタイヤは時としてバーストあるいは減圧が発生するため、「パンクはり」、「空気入れ」作業などのメンテナンスが必要である。
【課題を解決するための手段】
【０００４】  そこで、気体圧による形状およびクッション性の維持を排し、気体の代わりに、発泡性の高分子素材を満たすことによって、タイヤの使用形状およびクッション性を維持するタイヤを考案した（図１）。
これにより、気体圧によらないで使用形状およびクッション性を保持できるゴム製タイヤとなる。
【考案の効果】
【０００５】  よって、バーストあるいは減圧が皆無のタイヤとすることができ、現タイヤには必須である気体圧調整のための気体注入部分が不要となり、タイヤの構造が簡素化し、荷重耐圧についても空洞部分に満たす高分子の硬度あるいは密度を変える方法で解決できるため、小型のタイヤについてもクッション性の高いものとすることができる。
したがって、自転車、作業用一輪車、農耕用トラクター、高齢者用動力カート等のタイヤの減圧、バーストを無くすことができ、メンテナンスフリーとなるとともに、旅行用ハードケースキャリヤ、乳母車、ショッピングカート等の小型タイヤのガラガラ音を解消することができる。
【考案が実施するための最良の形態】
【０００６】  本考案に係るエアレスタイヤは、図１に示すとおりタイヤ内部が気体圧に代わる発泡性の高分子材によって満たすことにする。この発泡性の高分子材は海綿状のものとし、弾力性はチューブに気体を満たした場合と同等に調整し、円筒形に成形したものをタイヤ内に装填かあるいは高温溶解状の発泡性高分子材を充填して成形する。
【図面の簡単な説明】
【０００７】
【図１】  本考案に係る気体圧に代わる発泡性の高分子を充填した状態のタイヤの断面図である。
【図２】  従来のチューブを利用した気体圧によるタイヤの断面図である。
【符号の説明】
【０００８】  １  タイヤ本体
２  ホイール部分
３  チューブ
４  気体（空気）注入口
５  気体（空気）充填部分
１０  タイヤ全体図
Ｇ  発泡高分子充填部分
【図１】
0003109044.tif 000003
【図２】
0003109044.tif 000004
【手続補正書】
【提出日】平成17年1月4日(2005.1.4)
【手続補正１】
【補正対象書類名】実用新案登録請求の範囲
【補正対象項目名】全文
【補正方法】変更
【補正の内容】
【実用新案登録請求の範囲】
【請求項１】
気体の代わりに発泡性高分子を充填したことを特徴とするタイヤ。
(57)【要約】      （修正有）【課題】いろいろな色のある飲料の色を、再現性のあるデータ化したい。特に暗い色のコーヒー等の色が再現できる飲料の色撮影用カメラを提供する。【解決手段】赤外線と可視光を同時に観測できるカラーカメラでコーヒー等の色をデータ化した。【選択図】図２
0003109047.tif 000002
【実用新案登録請求の範囲】
【請求項１】
種々な色のある飲料の色撮像用のカメラ装置として、
１．  青色撮像用の分光器及び撮像素子
２．  黄色撮像用の分光器及び撮像素子
３．  赤外撮像用の分光器及び撮像素子
上記の構成から成る飲料の色撮像用カメラ装置。
【考案の詳細な説明】
【技術分野】
【０００１】  本考案は、カメラ装置の技術分野に属する。
【背景技術】
【０００２】  従来はカラーカメラ装置で撮像していた。ところが色の濃い飲料、例えばコーヒー、ミルクコーヒー、ミルク、コーラ等の不透明または透明度の悪い飲料の色は計測の方法がなかった。そのため現在でも定量化していない。
【考案の開示】
【考案が解決しようとする課題】
【０００３】  暗い色の飲料の色を見たい。しかし色として見る必要はなく、再現性があり他と区別できるデータとして認識できれば良い。
【課題を解決するための手段】
【０００４】  カラーカメラ部分を青色、黄色（緑＋赤）、赤外線とし、透明に近い色は可視光でそれなりに判別し、暗い色は赤外線の強さでデータ化して解決する。
【考案の効果】
【０００５】  飲料の種類の色を撮像するようにダイクロイックミラー、フィルタの特性を決定したので、色の絶対値は測定できないが、同一品種の色の再現性は完全であり、特にコーヒー、ミルク、コーラ、のデータ化は容易であった。【０００６】  故に飲料の色の再現性が確定でき、製品のばらつきの確認や、中に入っている異物が検出できるなど、効果は大である。
【考案を実施するための最良の形態】
【０００７】  図に基づいて説明すると、第１図の如く１１から入った光は１２のレンズを通り１３ａのダイクロイックミラーに入り、赤外（８００ｎｍ〜１０００ｎｍ）反射で１４ａの撮像素子に入る。【０００８】  １３ａを透過した光は１３ｂのダイクロイックミラーに入り、黄色（５００ｎｍ〜７００ｎｍ）を反射させて１４ｂの撮像素子に入る。【０００９】  最後に１３ｃのフィルタで青色（４００ｎｍ〜４７０ｎｍ）を透過し、１４ｃの撮像素子に入る。【００１０】  図２に本カメラの分光特性を示す。通常のカラーカメラのＲ・Ｇ・Ｂ分光とは異なり、赤外・黄色・青色に分光する。
【実施例】
【００１１】  図３の如く、ペットボトル入り飲料の色を測定してデータ化した。
【図面の簡単な説明】
【００１２】
【図１】色分光部の系統図である。
【図２】分光波長の説明図である。
【図３】ペットボトル飲料の色を測定する実施図
【符号の説明】
【００１３】１１    入射光
１２    レンズ
１３ａ  赤外反射、その他透過ダイクロイックミラー
１３ｂ  黄色反射、その他透過ダイクロイックミラー
１３ｃ  青色透過用フィルタ
１４ａ  赤外撮像用素子
１４ｂ  黄色撮像用素子
１４ｃ  青色撮像用素子
２１    光の強さ
２２    波長（ｎｍ）
２３    ４００ｎｍ
２４    ４７０ｎｍ
２５    ５００ｎｍ
２６    ７００ｎｍ
２７    ８００ｎｍ
２８    １０００ｎｍ
２９ａ  青色バンド幅
２９ｂ  黄色バンド幅
２９ｃ  赤外バンド幅
３１    赤外・可視光照明
３２    測定対象飲料ボトル
３３    レンズ
３４    色撮像用カメラ装置（本考案のカメラ装置）
３５ａ  赤外成分データ
３５ｂ  黄色成分データ
３５ｃ  青色成分データ
３６    データ分析装置
【図１】
0003109047.tif 000003
【図２】
0003109047.tif 000004
【図３】
0003109047.tif 000005